(57)【特許請求の範囲】
【請求項１】
アルカリ性物質の存在下で、少なくともｐＨ６．５〜８．０の領域で安定な、クロロプレンゴムラテックスの単独又はクロロプレンゴムラテックスと他のポリマーエマルションとの混合液に、酸価が１００以上の粘着付与樹脂を予め溶媒に溶解することなく直接添加して、これらの液中で溶解配合してなる樹脂分とゴム分の合計が５０％以上の水性コンタクト接着剤。
【請求項２】
酸価が１００以上の粘着付与樹脂が、ロジン、重合ロジン、水添ロジン、二塩基酸変成ロジン、スチレン−マレイン酸共重合樹脂及びマレイン酸樹脂からなる群より選ばれた少なくとも一種の樹脂である請求項１記載の水性コンタクト接着剤。
【請求項３】
酸価が１００以上の粘着付与樹脂が、アクリル樹脂である請求項１記載の水性コンタクト接着剤。
【請求項４】
二塩基酸変成ロジンがマレイン酸変成ロジンである請求項２記載の水性コンタクト接着剤。
【請求項５】
クロロプレンゴムラテックスのゴム分１００重量部に対して、酸価が１００以上の粘着付与樹脂が、１０〜２５０重量部である請求項１記載の水性コンタクト接着剤。
【請求項６】
クロロプレンゴムラテックスが、ポリビニルアルコールの存在下で、クロロプレンとクロロプレンと共重合可能なエチレン系不飽和カルボン酸とを共重合して得られたラテックスである請求項１記載の水性コンタクト接着剤。
【請求項７】
クロロプレンゴムラテックスが、ポリビニルアルコールとグリコールエーテル類の共存下で、クロロプレンとクロロプレンと共重合可能なエチレン系不飽和カルボン酸とを共重合して得られたラテックスである請求項１記載の水性コンタクト接着剤。
【請求項８】
他のポリマーエマルションが、アクリル樹脂エマルション及び酸価が１００以下の粘着付与樹脂のエマルションからなる群より選ばれた少なくとも一種のものである請求項１記載の水性コンタクト接着剤。
【発明の詳細な説明】
【０００１】
【産業上の利用分野】
本発明は、住宅の建材、寝具等における発泡体の接着用、車両内装用、木工家具用等の工業用分野、建築内装用等の建築現場で使用される分野、及び一般家庭で使用される分野において広く使用されている溶剤型接着剤の適用分野において使用できて、水性型であるので環境を害せず危険性もなく、しかも乾燥速度が速く、初期接着強さとコンタクト性とに優れ、かつ樹脂分とゴム分の合計（以下単に樹脂分という）の割合の高い水性コンタクト接着剤に関する。
【０００２】
【従来の技術】
従来の水性コンタクト接着剤は、酸価の低い粘着付与樹脂を、芳香族炭化水素のような有機溶剤に溶解するか、又は微粉砕した後に、乳化剤と水とを加えて粘着付与樹脂のエマルションを作り、これをクロロプレンゴムラテックスに配合していた。
【０００３】
このような方法で得られた接着剤は、環境に負荷を与える有機溶剤を含有し、かつ樹脂を乳化するために新たに乳化剤を配合するがゆえに、結果として接着剤中の乳化剤が多くなり、この乳化剤が接着性能に悪影響を及ぼし、溶剤型接着剤に比べ、接着性に劣り、接着速度も遅く、半乾燥状態での粘着力が無く、コンタクト性も劣るものである。
【０００４】
特開平６−３２２３４７号公報には、酸価の高い粘着付与樹脂をアルコール系の溶剤に溶解し、新たに乳化剤を添加することなく、クロロプレンゴムラテックスのようなポリマ−エマルションに配合した接着剤組成物が示されている。これらは環境負荷の問題を改善し、良好なコンタクト性が得られるものの、アルコール系の溶剤で樹脂を予め溶解するがために樹脂分を高くすることができず、水性型接着剤の欠点である、乾燥を速め、初期接着強さを高めることができない。
【０００５】
これら従来の水性コンタクト接着剤は、前記の欠点を有するがために、広く一般には使用されていない。そして、いまだに、初期接着強さが要求される用途においては溶剤を多く含んだ溶剤型接着剤が、接着性に優れ、乾燥速度も速く、作業の容易さから広い分野において使用されている。
【０００６】
【発明が解決しようとする課題】
以上のように、従来の水性型接着剤は種々の問題点を有するが、また上記従来の溶剤型接着剤は、その中に含まれる溶剤の多くが、毒性が有り、環境を汚染する危険性が高い。殊に改築時の内装工事や、一般家庭で使用される場合に、締め切った部屋で溶剤型接着剤を使用すると中毒を起こす危険性を有する。さらに、製造から使用されるまで、途中の輸送、貯蔵、小売り店の陳列も含めて、溶剤型接着剤を扱うときは常に火災の危険性が高いというような欠点を持っている。
【０００７】
本発明は、上記従来技術の問題点を解決し、水性系であって環境を害せず火災の危険性もなく、乾燥速度が速く、かつ初期接着強さとコンタクト性とに優れた樹脂分の高い水性コンタクト接着剤を提供することを目的とする。
【０００８】
【課題を解決するための手段】
本発明者らは、上記に鑑み、有機溶剤を使用せず、かつ新たに乳化剤を使用しない、乾燥速度の速い水性接着剤について鋭意検討した結果、酸価の高い粘着付与樹脂を、アルカリ性物質の存在下で、少なくともｐＨ６．５〜８．０の領域で安定な、クロロプレンゴムラテックスの単独又はクロロプレンゴムラテックスと他のポリマーエマルションとの混合液に、予め溶媒に溶解することなく直接添加して、これらの液中で溶解することによって、新たに乳化剤を添加することなく、樹脂分の高い水性接着剤が得られ、この水性接着剤は、初期接着強さとコンタクト性とに優れかつ乾燥速度が速いことを見出し、本発明に至った。
【０００９】
すなわち、本発明の水性コンタクト接着剤は、アルカリ性物質の存在下で、少なくともｐＨ６．５〜８．０の領域で安定な、クロロプレンゴムラテックスの単独又はクロロプレンゴムラテックスと他のポリマーエマルションとの混合液に、酸価が１００以上の粘着付与樹脂を予め溶媒に溶解することなく直接添加して、これらの液中で溶解配合してなる樹脂分とゴム分の合計が５０％以上の接着剤である。
【００１０】
本発明において、酸価が１００以上の粘着付与樹脂とは、ロジン、重合ロジン、水添ロジン、マレイン酸変性ロジンで代表される二塩基酸変成ロジン、スチレン−マレイン酸共重合樹脂、マレイン酸樹脂及びアクリル樹脂等をいうが、これらに限定されものではない。ここで言う酸価とは、樹脂１ｇの中に含まれる酸を中和するのに要する水酸化カリウムをミリグラム数で表わしたものである。
【００１１】
酸価が１００未満であると、アルカリ性物質による水溶化が一般的には不充分で、クロロプレンゴムラテックスの単独中、又はクロロプレンゴムラテックスと他のポリマーエマルションとの混合液中で粘着付与樹脂を溶解配合させて安定な接着剤を得ることができない。よしんば溶解しても、粘度が高くなり過ぎたり、耐熱性又はコンタクト性が不充分だったりして、接着剤として満足する性能が得られない。
【００１２】
本発明で使用する粘着付与樹脂は、樹脂分を高くするための他、コンタクト性の付与や接着性の向上等の目的で使用し、目的に応じて適宜樹脂を選定し、単独または２種以上の組み合わせで使用する。
【００１３】
また粘着付与樹脂の配合量は、クロロプレンゴムラテックスのゴム分１００重量部に対し１０重量部乃至２５０重量部が好ましく、２０重量部乃至８０重量部が特に好ましい。１０重量部未満であると樹脂分はさほど高くならず、コンタクト性や接着性の向上、という効果が顕著に現れない。２５０重量部をこえると、皮膜が堅く、かつもろくなり、接着特性が低下する。
【００１４】
本発明で使用するアルカリ性物質は、酸価が１００以上の粘着付与樹脂を水溶化させるために使用し、アルカリ性物質にはアンモニア水、トリエタノールアミン、ジエタノールアミン、水酸化ナトリウム、水酸化カリウム等を使用することができるが、特にこれらに限定されるものではない。アルカリ性物質の添加量は、粘着付与樹脂の酸価によって異なるが、実質的には粘着付与樹脂を水溶性化するためと、クロロプレンゴムラテックスの単独、又はクロロプレンゴムラテックスと他のポリマーエマルションとの混合物の安定ｐＨ領域を保持するための必要最小量で充分に目的を果たすことができる。
【００１５】
本発明で使用するクロロプレンゴムラテックスは、アルカリ性物質の存在下で粘着付与樹脂を溶解する過程において安定なもの、すなわち少なくともｐＨが６．５〜８．０の領域で安定なものであれば使用することができる。ｐＨの安定領域は広い方が、粘着付与樹脂を溶解する過程においてｐＨをコントロールする必要もなく容易に製造することができ、かつ、得られた接着剤の保存安定性も良好である。したがって、本発明ではｐＨの領域として６．５〜８．０の範囲で安定なクロロプレンゴムラテックスをはじめとして、ｐＨ領域として下限が６．５以下で上限が８．０以上の範囲で安定な、ｐＨ安定領域のさらに広いクロロプレンゴムラテックスをも使用することができる。例えば、ｐＨ領域として下限が６．５で上限が９．０のもの、下限が４．５で上限が８．０のものおよび下限が３．５で上限が９．５のものを使用することができる。しかしながら、下限が７．０で上限が９．５のものや、下限が３．５で上限が７．５のものを使用することはできない。ｐＨの安定領域が広いクロロプレンゴムラテックスとしては、ポリビニルアルコールの存在下でクロロプレンとクロロプレンと共重合可能なエチレン系不飽和カルボン酸とを共重合して得られたクロロプレンゴムラテックスおよび、ポリビニルアルコールとグリコールエーテル類の共存下でクロロプレンとクロロプレンと共重合可能なエチレン系不飽和カルボン酸とを共重合して得られたクロロプレンゴムラテックスがある。
【００１６】
本発明では、クロロプレンゴムラテックスと他のポリマーエマルションとを混合して使用することができる。クロロプレンゴムラテックスと混合して使用するポリマーエマルションは、混合時にゲル化することがなく安定で、その混合液はアルカリ性物質の存在下で粘着付与樹脂を溶解する過程において安定なもの、すなわち、前記したクロロプレンゴムラテックスの場合と同様に、少なくともｐＨ６．５〜８．０の領域で安定なものであれば使用することができる。この混合液のｐＨの安定領域は、広い方が粘着付与樹脂を溶解する過程においてｐＨをコントロールする必要もなく容易に製造でき、かつ得られた接着剤の保存安定性も良好となる。ポリマーエマルションとしては、アクリル樹脂エマルション、スチレン−ブタジエンゴムラテックス、ウレタン樹脂エマルション、塩化ビニリデン樹脂エマルション、エチレン−酢酸ビニル共重合樹脂エマルション、ならびに石油樹脂のような酸価が１００以下の粘着付与樹脂、アルキルフェノール樹脂、ロジン又は変性ロジン、テルペン樹脂、テルペンフェノール樹脂及びアスファルトのエマルション等があるが、これらに限定されるものではなく、前記の条件を満足するものであれば、何れのポリマーエマルションの１種又は２種以上の使用が可能である。
【００１７】
本発明の水性コンタクト接着剤には必要に応じて、水溶性高分子、酸価１００以下でアルカリ水に溶解する樹脂、充填剤、湿潤剤、防腐剤、防錆剤、酸吸収剤、老化防止剤、及びシラン、チタン等のカップリング剤を添加してもよい。
【００１８】
このようにして調製した接着剤をチューブに詰め、チューブのノズルから接着剤を押し出してビード状に被着材の片面に塗布したり、ハケやロールコーターやスプレーガンで被着材の片面又は両面に塗付し、直ちに張り合わせるか、又は適当なオープンタイムをとった後に張り合わせて接着する。
【００１９】
【作用】
本発明の接着剤においては、粘着付与樹脂を予め溶媒に溶解してクロロプレンゴムラテックスに配合するのではなく、クロロプレンゴムラテックス単独中、又はクロロプレンゴムラッテクスと他のポリマーエマルションとの混合液中で粘着付与樹脂を直接溶解配合して樹脂分濃度を５０％以上と高くすることにより、乾燥速度が速くなり、初期接着強さが大きくなる。また、水溶化した粘着付与樹脂が接着剤の乾燥過程において、常に粘着付与効果を発揮することができ、新たに乳化剤を使用しないが故に各種材料への接着性に優れ、且つ半乾燥状態で溶剤型接着剤の様に糸びき状態を呈し、良好な粘着力を発現する。
【００２０】
さらに、一般的には樹脂分を高くすると粒子間の距離は短くなるがゆえに、乳化剤を増量しない限りラテックスは不安定になる。しかしながら、本発明による、アルカリで水溶化して樹脂分を高くした接着剤においては、樹脂分が高いにも係わらず粒子間の距離が短くならないと推測される。それゆえ、本発明の接着剤においては、樹脂分が高いにも係わらず安定性が非常に良好である。
【００２１】
【実施例】
実施例１
カルボキシル基含有クロロプレンゴムラテックス［電気化学工業株式会社製  商品名ＬＣ−５５０  不揮発分（ゴム分）４８％  ｐＨ７．０］１００重量部に酸価３００のマレイン酸変成ロジン（荒川化学工業株式会社製  商品名マルキードＮｏ．３３）５重量部を仕込み、撹拌しながら序々にアンモニア水１重量部を添加し、８０℃で３時間撹拌溶解後冷却して、不揮発分（樹脂分とゴム分の合計）５０．０％の水性コンタクト接着剤を得た。
【００２２】
実施例２
実施例１と同様の方法で、カルボキシル基含有クロロプレンゴムラテックス１００重量部に、酸価２７０のマレイン酸変成ロジン（荒川化学工業株式会社製  商品名マルキードＮｏ．３４）１０重量部と酸価１６５の水添ロジン（理化ハーキュレス株式会社製  商品名フォーラルＡＸ）１０重量部を仕込み、アンモニア水４重量部を添加し、８０℃で３時間撹拌溶解後冷却して、不揮発分（樹脂分とゴム分の合計）５４．８％の水性コンタクト接着剤を得た。
【００２３】
実施例３
実施例１と同様の方法で、カルボキシル基含有クロロプレンゴムラテックス１００重量部に、酸価２７０のマレイン酸変成ロジン（荒川化学工業株式会社製  商品名マルキードＮｏ．３４）１０重量部と酸価１６５の水添ロジン（理化ハーキュレス株式会社製  商品名フォーラルＡＸ）２０重量部を仕込み、アンモニア水５重量部を添加し、８０℃で３時間撹拌溶解後冷却して、不揮発分（樹脂分とゴム分の合計）５７．８％、の水性コンタクト接着剤を得た。
【００２４】
実施例４
実施例１と同様の方法で、カルボキシル基含有クロロプレンゴムラテックス１００重量部に、マレイン酸変成ロジン１２０重量部を仕込み、アンモニア水２０重量部を添加し、８０℃で３時間撹拌溶解後冷却して、不揮発分（樹脂分とゴム分の合計）７０．６％の水性コンタクト接着剤を得た。
【００２５】
実施例５
実施例１と同様の方法で、カルボキシル基含有クロロプレンゴムラテックス１００重量部に、酸価１６５の水添ロジン（理化ハーキュレス株式会社製  商品名フォーラルＡＸ）１０重量部を仕込み、アンモニア水２重量部を添加し、８０℃で３時間撹拌溶解後冷却して、不揮発分（樹脂分とゴム分の合計）５１．７％の水性コンタクト接着剤を得た。
【００２６】
実施例６
実施例１と同様の方法で、カルボキシル基含有クロロプレンゴムラテックス９０重量部とアクリル樹脂エマルション［日本ラテックス加工株式会社製  商品名ＡＥ３２２  不揮発分（樹脂分）５２％  ｐＨ８．０］１０重量部との混合液に、酸価２７０のマレイン酸変成ロジン（荒川化学工業株式会社製  商品名マルキードＮｏ．３４）１０重量部と酸価１６５の水添ロジン（理化ハーキュレス株式会社製  商品名フォーラルＡＸ）１０重量部を仕込み、アンモニア水４重量部を添加し、８０℃で３時間撹拌溶解後冷却して、不揮発分（樹脂分とゴム分の合計）５５．２％、の水性コンタクト接着剤を得た。
【００２７】
実施例７
実施例１と同様の方法で、カルボキシル基含有クロロプレンゴムラテックス１００重量部に、酸価１９０のスチレン−マレイン酸共重合樹脂（荒川化学工業株式会社製  商品名アラスター７００）１０重量部と酸価１６５の水添ロジン（理化ハーキュレス株式会社製  商品名フォーラルＡＸ）１０重量部を仕込み、アンモニア水４重量部を添加し、８０℃で３時間撹拌溶解後冷却して、不揮発分（樹脂分とゴム分の合計）５４．８％の水性コンタクト接着剤を得た。
【００２８】
比較例１
カルボキシル基含有クロロプレンゴムラテックス［電気化学工業株式会社製  商品名ＬＣ−５５０  不揮発分（ゴム分）４８％］１００重量部に、テルペンフェノール樹脂エマルション［荒川化学工業株式会社製  商品名タマノルＥ１００不揮発分（樹脂分）５３％］５０重量部を添加し、撹拌混合して、不揮発分（樹脂分とゴム分の合計）４９．７％の接着剤を得た。
【００２９】
比較例２
コニシ株式会社製クロロプレンゴム系溶剤型接着剤［商品名ボンドＧ１０  不揮発分（樹脂分とゴム分の合計）２３％］を比較品として使用した。
【００３０】
比較例３
アンモニア水４重量部、及びエチルアルコール２０重量部に、酸価２７０のマレイン酸変成ロジン（荒川化学工業株式会社製  商品名マルキードＮｏ．３４）１０重量部と酸価１６５の水添ロジン（理化ハーキュレス株式会社製  商品名フォーラルＡＸ）１０重量部とを添加し、８０℃で３時間撹拌溶解後冷却して、樹脂溶液を得た。この樹脂溶液を、カルボキシル基含有クロロプレンゴムラテックス［電気化学工業株式会社製  商品名ＬＣ−５５０  不揮発分（ゴム分）４８％ｐＨ７．０］１００重量部に添加し、充分撹拌混合して、不揮発分（樹脂分とゴム分の合計）４７．２％の接着剤を得た。
【００３１】
実施例１〜７及び比較例１〜３の接着剤の接着特性を評価し、その結果を下記の表１に示した。なお、下記表１に示す各試験は、室温２０℃、湿度５０％の条件下で行った。
【００３２】
【表１】
0003554407.tif 000002
【００３３】
（注）
糸曳き性：合板に接着剤を７５ｇ／ｍ２  塗布し、半乾燥状態で指を押しつけて糸曳きの有無を判定した。◎印は極めて良好、○印は良好、△印はわずかに糸曳きしたことを示す。
【００３４】
乾燥時間：ガラス板に接着剤を０．１５ｍｍの厚さで塗布し、透明になる迄の時間を測定した。※印は、接着剤が溶剤型のためにこの方法では測定できなかったことを示す。
【００３５】
貼合わせ１分以内の接着強さ：両方の樺材に接着剤を７５ｇ／ｍ２  塗布し、各オープンタイムをとった後に貼合わせ、手で押して圧着し、１分以内に１０ｍｍ／分の速度で割烈接着強さを測定した（単位：Ｎ／２５ｍｍ）。
【００３６】
貼合わせ７日後の接着強さ：両方の樺材に、接着剤を７５ｇ／ｍ２  塗布し、オープンタイムを１５分（実施例３は５分）とったのちに貼合わせ、手で押して圧着し、７日後に１０ｍｍ／分の速度で圧縮剪断接着強さを測定した（単位：Ｎ／ｃｍ２  ）。
【００３７】
さらに実施例１〜７及び比較例１〜３の接着剤につき、被着材を変えた場合の接着特性を評価するために、室温２０℃、湿度５０％の条件下で、下記表２に示す被着材の両方に接着剤を７５ｇ／ｍ２  塗布し、オープンタイムを１５分（実施例４は５分）とったのちに貼合わせ、手で押して圧着し７日間静置後、ゴム／ゴムは２００ｍｍ／分の速度ではく離接着強さを、硬質塩ビ／硬質塩ビは１０ｍｍ／分の速度で引張剪断接着強さを測定し、その結果を下記表２に示した。
【００３８】
【表２】
0003554407.tif 000003
【００３９】
上記の表１及び表２に示したところから明らかのように、本発明の水性コンタクト接着剤は、通常のクロロプレン系接着剤である比較例１の接着剤に比べて、初期接着強さ及び糸曳き性において優れ、さらに、樺材以外の被着体の場合における接着強さにおいて優れている。また、本発明の水性コンタクト接着剤と比較例２の従来の溶剤型接着剤とを比較すると、本発明の接着剤は有害、危険な有機溶剤を含まず、しかも比較例２の溶剤型接着剤にほぼ匹敵する接着特性を有している。さらに、本発明の水性コンタクト接着剤は、比較例３の従来の水性コンタクト接着剤に比べて初期接着強さにおいて優れている。
【００４０】
【発明の効果】
本発明の水性コンタクト接着剤は、樹脂分が５０％以上と高いので従来の水性コンタクト接着剤に比べて乾燥速度が速く、初期接着強さに優れ、溶剤型接着剤のように半乾燥状態で糸びき状態を呈し、良好なコンタクト性を有する。また、本発明の接着剤を、片面塗布で張り合わせた場合には、接着速度が溶剤型接着剤に比べて同じかもしくはそれ以上に速く、両面塗布で張り合わせた場合には、クロロプレンゴム系溶剤型接着剤と同じかもしくはそれ以上の良好なコンタクト性が得られ、オープンタイムも長く、作業性が非常に良好である。このように、本発明の水性コンタクト接着剤は、乾燥速度が速く、初期接着強さに優れ、溶剤型に匹敵する極めて良好なコンタクト性及び接着性を有し、しかも、有機溶剤を含まないので、環境を害せず火災の危険性もないものである。